【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
携帯形電子装置と通信可能な情報処理装置であって、
コンテンツのデータを記憶する記憶手段と、
コンテンツを表す画像を表示する表示手段と、
表示手段の表示画面上における携帯形電子装置を検出する検出手段と、
検出手段によって携帯形電子装置が検出されたとき、コンテンツのデータを特定するデータ特定手段と、
記憶手段に記憶され、データ特定手段によって特定された前記コンテンツのデータを、無線通信によって携帯形電子装置へ送信する送信手段とを備えることを特徴とする情報処理装置。
【請求項２】
検出手段は、表示画面上における携帯形電子装置の位置を検出し、
データ特定手段は、検出手段によって検出された携帯形電子装置の位置に対応するコンテンツのデータを特定することを特徴とする請求項１記載の情報処理装置。
【請求項３】
検出手段は、表示画面上における複数の携帯形電子装置の位置を検出し、
データ特定手段は、検出手段によって検出された複数の携帯形電子装置のそれぞれの位置に対応するコンテンツのデータを特定することを特徴とする請求項１記載の情報処理装置。
【請求項４】
コンテンツのデータが記憶される携帯形電子装置から送信される前記データを受信する受信手段と、
受信手段によって受信した前記データが表すコンテンツを出力する出力手段とをさらに備えることを特徴とする請求項１記載の情報処理装置。
【請求項５】
情報処理装置と通信可能な通信手段と、
コンテンツのデータを記憶する携帯側記憶手段とを備える携帯形電子装置と、
請求項１〜４のいずれか１つに記載の情報処理装置とを含むことを特徴とする情報処理システム。
【請求項６】
携帯形電子装置と通信可能であり、記憶部を備えた情報処理装置が行う情報処理方法であって、
コンテンツを表す画像を表示する表示工程と、
表示画面上における携帯形電子装置を検出する検出工程と、
検出工程で携帯形電子装置が検出されたとき、コンテンツのデータを特定するデータ特定工程と、
データ特定工程で特定され、記憶部に記憶された前記コンテンツのデータを、無線通信によって携帯形電子装置へ送信する送信工程とを含むことを特徴とする情報処理方法。
【請求項７】
記憶部を備えるコンピュータを、
コンテンツを表す画像を表示する表示手段と、
表示手段の表示画面上における携帯形電子装置を検出する検出手段と、
検出手段によって携帯形電子装置が検出されたとき、コンテンツのデータを特定するデータ特定手段と、
データ特定手段によって特定され、記憶部に記憶された前記コンテンツのデータを、無線通信によって携帯形電子装置へ送信する送信手段として機能させることを特徴とするプログラム。
【手続補正２】
【補正対象書類名】明細書
【補正対象項目名】０００８
【補正方法】変更
【補正の内容】
【０００８】
本発明は、携帯形電子装置と通信可能な情報処理装置であって、
コンテンツのデータを記憶する記憶手段と、
コンテンツを表す画像を表示する表示手段と、
表示手段の表示画面上における携帯形電子装置を検出する検出手段と、
検出手段によって携帯形電子装置が検出されたとき、コンテンツのデータを特定するデータ特定手段と、
記憶手段に記憶され、データ特定手段によって特定された前記コンテンツのデータを、無線通信によって携帯形電子装置へ送信する送信手段とを備えることを特徴とする情報処理装置である。
また本発明は、検出手段は、表示画面上における携帯形電子装置の位置を検出し、
データ特定手段は、検出手段によって検出された携帯形電子装置の位置に対応するコンテンツのデータを特定することを特徴とする。
【手続補正３】
【補正対象書類名】明細書
【補正対象項目名】０００９
【補正方法】変更
【補正の内容】
【０００９】
また本発明は、検出手段は、表示画面上における複数の携帯形電子装置の位置を検出し、
データ特定手段は、検出手段によって検出された複数の携帯形電子装置のそれぞれの位置に対応するコンテンツのデータを特定することを特徴とする。
【手続補正４】
【補正対象書類名】明細書
【補正対象項目名】００１２
【補正方法】変更
【補正の内容】
【００１２】
また本発明は、携帯形電子装置と通信可能であり、記憶部を備えた情報処理装置が行う情報処理方法であって、
コンテンツを表す画像を表示する表示工程と、
表示画面上における携帯形電子装置を検出する検出工程と、
検出工程で携帯形電子装置が検出されたとき、コンテンツのデータを特定するデータ特定工程と、
データ特定工程で特定され、記憶部に記憶された前記コンテンツのデータを、無線通信によって携帯形電子装置へ送信する送信工程とを含むことを特徴とする情報処理方法である。
【手続補正５】
【補正対象書類名】明細書
【補正対象項目名】００１３
【補正方法】変更
【補正の内容】
【００１３】
また本発明は、記憶部を備えるコンピュータを、
コンテンツを表す画像を表示する表示手段と、
表示手段の表示画面上における携帯形電子装置を検出する検出手段と、
検出手段によって携帯形電子装置が検出されたとき、コンテンツのデータを特定するデータ特定手段と、
データ特定手段によって特定され、記憶部に記憶された前記コンテンツのデータを、無線通信によって携帯形電子装置へ送信する送信手段として機能させることを特徴とするプログラムである。
【手続補正６】
【補正対象書類名】明細書
【補正対象項目名】００１４
【補正方法】変更
【補正の内容】
【００１４】
本発明によれば、情報処理装置は、携帯形電子装置と通信可能である。記憶手段にコンテンツのデータが記憶される。表示手段には、コンテンツを表す画像が表示される。表示手段の表示画面上における携帯形電子装置は、検出手段によって検出される。コンテンツのデータは、検出手段によって携帯形電子装置が検出されたとき、データ特定手段によって特定される。記憶手段に記憶され、データ特定手段によって特定された前記コンテンツのデータは、送信手段によって、無線通信によって携帯形電子装置へ送信される。
【手続補正７】
【補正対象書類名】明細書
【補正対象項目名】００１５
【補正方法】変更
【補正の内容】
【００１５】
したがってコンテンツのデータの購入者が、表示手段の表示画面に表示されるコンテンツを表す画像から、所望するコンテンツを表す画像を選択し、前記表示画面のうち、前記選択したコンテンツを表す画像が表示される部分に、所有する携帯形電子装置をかざすか、または載置するだけで、情報処理装置は、検出手段によって携帯形電子装置が検出されたとき、コンテンツのデータを、データ特定手段によって特定し、その特定した前記コンテンツのデータを、送信手段によって携帯形電子装置へ送信することができる。
【手続補正８】
【補正対象書類名】明細書
【補正対象項目名】００１６
【補正方法】変更
【補正の内容】
【００１６】
これによって、所望するコンテンツのデータを取得するまでに複数回の選択操作をしなければならない前記従来技術とは異なり、所望するコンテンツを表す画像のみを選択すればよい。したがって前記従来技術に比べて、情報処理装置の操作性を向上することができ、所望するコンテンツのデータを簡単に購入することができる。これによってコンテンツのデータの購入者は、前記従来の技術に比べて、所望するコンテンツのデータを短時間で購入して取得することができる。
また本発明によれば、表示画面上における携帯形電子装置の位置は、検出手段によって検出される。検出手段によって検出された携帯形電子装置の位置に対応するコンテンツのデータは、データ特定手段によって特定される。
したがって、購入者が表示手段の表示画面に表示されるコンテンツを表す画像を選択し、前記表示画面のうち、前記選択したコンテンツを表す画像が表示される部分に、携帯形電子装置をかざすか、または載置するだけで、情報処理装置は、検出手段によって検出される携帯形電子装置の表示画面上における位置に対応するコンテンツのデータを、データ特定手段によって特定し、その特定した前記コンテンツのデータを、送信手段によって、携帯形電子装置へ送信することができる。
これによってコンテンツのデータの購入者は、所望するコンテンツのデータを前記従来技術に比べて簡単に購入することができる。これによって利用者に対する情報処理装置の利便性が向上する。
【手続補正９】
【補正対象書類名】明細書
【補正対象項目名】００１７
【補正方法】変更
【補正の内容】
【００１７】
また本発明によれば、表示画面上における複数の携帯形電子装置の位置は、検出手段によって検出される。検出手段によって検出された複数の携帯形電子装置のそれぞれの位置に対応するコンテンツのデータは、データ特定手段によって特定される。
【手続補正１０】
【補正対象書類名】明細書
【補正対象項目名】００１８
【補正方法】変更
【補正の内容】
【００１８】
したがってコンテンツのデータの購入者が複数いる場合でも、複数の購入者がそれぞれ表示手段の表示画面に表示されるコンテンツを表す画像を選択し、前記表示画面のうち、前記選択したコンテンツを表す画像が表示される部分に、それぞれ個別の携帯形電子装置をかざすか、または載置するだけで、情報処理装置は、検出手段によって検出される携帯形電子装置の表示画面上におけるそれぞれの位置に対応するコンテンツのデータを、データ特定手段によって特定し、その特定した前記コンテンツのデータを、送信手段によって、個別の携帯形電子装置へそれぞれ送信することができる。
【手続補正１１】
【補正対象書類名】明細書
【補正対象項目名】００２４
【補正方法】変更
【補正の内容】
【００２４】
また本発明によれば、表示工程では、コンテンツを表す画像が表示される。検出工程では、表示画面上における携帯形電子装置が検出される。コンテンツのデータは、検出工程で携帯形電子装置が検出されたとき、データ特定工程で特定される。データ特定工程で特定され、記憶部に記憶された前記コンテンツのデータは、送信工程で、無線通信によって携帯形電子装置へ送信される。
【手続補正１２】
【補正対象書類名】明細書
【補正対象項目名】００２５
【補正方法】変更
【補正の内容】
【００２５】
したがってコンテンツのデータの購入者が、表示画面に表示されるコンテンツを表す画像から、所望するコンテンツを表す画像を選択し、前記表示画面のうち、前記選択したコンテンツを表す画像が表示される部分に、所有する携帯形電子装置をかざすか、または載置するだけで、検出工程で携帯形電子装置が検出されたとき、コンテンツのデータを、データ特定工程で特定し、その特定した前記コンテンツのデータを、送信工程で携帯形電子装置へ送信することができる。
【手続補正１３】
【補正対象書類名】明細書
【補正対象項目名】００２７
【補正方法】変更
【補正の内容】
【００２７】
また本発明によれば、記憶部を備えるコンピュータに、コンテンツを表す画像を表示する表示手段と、表示手段の表示画面上における携帯形電子装置を検出する検出手段と、検出手段によって携帯形電子装置が検出されたとき、コンテンツのデータを特定するデータ特定手段と、データ特定手段によって特定され、記憶部に記憶された前記コンテンツのデータを、無線通信によって携帯形電子装置へ送信する送信手段としての機能を実行させることができる。
【手続補正１４】
【補正対象書類名】明細書
【補正対象項目名】００３６
【補正方法】変更
【補正の内容】
【００３６】
本実施の形態において、記憶手段は、補助記憶部１５に相当する。表示手段は、ＬＣＤ５に相当する。検出手段は、センサ６または内蔵カメラ７、およびＣＰＵ１０に相当する。データ特定手段は、ＣＰＵ１０に相当する。送信手段および受信手段は、無線通信部１７に相当する。出力手段は、音声出力部１８に相当する。
【手続補正１５】
【補正対象書類名】明細書
【補正対象項目名】００５５
【補正方法】変更
【補正の内容】
【００５５】
ステップａ５では、前述の位置認識処理プログラム２１を実行することによって、携帯形電子装置３０の位置を認識して、ステップａ６に進む。ステップａ６では、センサ６または内蔵カメラ７によって、ＬＣＤ５の表示画面上における携帯形電子装置３０の位置を検出して、ステップａ７に進む。ステップａ１〜ａ５は、検出工程に相当する。
【手続補正１６】
【補正対象書類名】明細書
【補正対象項目名】０１０３
【補正方法】変更
【補正の内容】
【０１０３】
また本実施の形態の情報処理方法によれば、コンテンツを表す画像を表示する表示工程と、ＬＣＤ５の表示画面上における携帯形電子装置３０の位置を検出する検出工程と、検出工程で検出された前記携帯形電子装置３０の位置に対応するコンテンツのデータを特定するデータ特定工程と、データ特定工程で特定され、記憶部に記憶された前記コンテンツのデータを、無線通信によって携帯形電子装置３０へ送信する送信工程とを有する。
【手続補正１７】
【補正対象書類名】明細書
【補正対象項目名】０１０４
【補正方法】変更
【補正の内容】
【０１０４】
したがってコンテンツのデータの購入者が、ＬＣＤ５の表示画面に表示されるコンテンツを表す画像から、所望するコンテンツを表す画像を選択し、前記表示画面のうち、前記選択したコンテンツを表す画像が表示される部分に、所有する携帯形電子装置３０をかざすか、または載置するだけで、検出工程で検出される携帯形電子装置３０の表示画面上における位置に対応するコンテンツのデータを、データ特定工程で特定し、その特定した前記コンテンツのデータを、送信工程で携帯形電子装置３０へ送信することができる。